【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  以下の構造：
【化１】
2002529465.tif 000001
を有する化合物であって、その立体異性体、プロドラッグ、および薬学的に受容可能な塩を含み、
ここで：
ｎは１または２であり；
ＡおよびＣは、各々が独立して、窒素、炭素またはＣＨであり；
Ｂは、窒素またはＣＲ3であり；
ただし、Ａ、ＢおよびＣのうち少なくとも１つは窒素であり；Ａ、ＢおよびＣの全てが窒素ではなく；Ａ−ＢまたはＢ−Ｃのいずれかが二重結合であり；
Ｘは窒素またはＣＨであり；
Ａｒはアリール、置換アリール、ヘテロアリール、または置換ヘテロアリールであり；
Ｒは、任意の置換基であり、該置換基は、各場合において、独立して、アルキル、アルキリデニル、アリールアルキルまたはヘテロアリールアルキルであり、ここで、ｍは、０、１、２または３であり、そしてＲ置換基の数を表し；
Ｒ1は、−Ｃ（Ｈ）0,1（Ｒ4）（Ｒ5）または−ＳＯ2Ｒ5であり；
Ｒ2は、水素またはアルキルであり；
Ｒ3は、水素、アルキルまたはハロアルキルであり；
Ｒ4は、水素、ケト、アルキル、アルキリデニル、またはハロであり；そして
Ｒ5は、式−Ｙ−Ｚ−Ｒ6のラジカルであり、ここで、
Ｙは、アルカンジイル、置換アルカンジイル、または直接結合であり、
Ｚは、ＮＨ、−Ｎ（Ｒ7）、Ｏ、Ｓ、ＳＯ2、Ｃ（＝Ｏ）、Ｃ（＝Ｏ）Ｏ、ＯＣ（＝Ｏ）、ＮＨＣ（＝Ｏ）、Ｃ（＝Ｏ）ＮＨ、ＮＨ（ＳＯ2）、（ＳＯ2）ＮＨ、ＮＲ8Ｃ（＝Ｏ）Ｏ、または直接結合であり；
Ｒ6は、水素、アルキル、置換アルキル、アリール、置換アリール、アリールアルキル、置換アリールアルキル、複素環、置換複素環、複素環アルキル、または置換複素環アルキルであるか；または
Ｒ7およびＲ8は、同一であるかまたは異なり、独立して、アルキル、置換アルキル、アリール、置換アリール、アリールアルキル、置換アリールアルキル、複素環、置換複素環、複素環アルキル、または置換複素環アルキルであるか；または
Ｒ6およびＲ7は、それらが結合する窒素原子と一緒になって複素環式環、または置換複素環式環を形成し；
あるいはＲ4およびＲ5が一緒になって、シクロアルキル、置換シクロアルキル、シクロアルキルシクロアルキル、置換シクロアルキルシクロアルキル、シクロアルキルアリール、置換シクロアルキルアリール（ｃｙｃｌｏａｌｋｙａｒｙｌ）、シクロアルキル複素環、または置換シクロアルキル複素環を形成する、
化合物。
【請求項２】  請求項１に記載の化合物であって、ここで、ｎは１であり、以下の構造：
【化２】
2002529465.tif 000002
のうちの１つを有する、化合物。
【請求項３】  請求項１に記載の化合物であって、ここでｎは２であり、そして以下の構造：
【化３】
2002529465.tif 000003
のうちの１つを有する、化合物。
【請求項４】  請求項１に記載の化合物であって、以下の構造：
【化４】
2002529465.tif 000004
のうちの１つを有する、化合物。
【請求項５】  請求項４の化合物であって、ここでＸはＣＨであり、そして以下の構造：
【化５】
2002529465.tif 000005
のうち１つを有する、化合物。
【請求項６】  請求項４の化合物であって、ここでＸは窒素であり、そして以下の構造：
【化６】
2002529465.tif 000006
のうち１つを有する、化合物。
【請求項７】  請求項１に記載の化合物であって、Ａｒがフェニルまたは置換フェニルである、化合物。
【請求項８】  請求項７に記載の化合物であって、ここで置換フェニルが２，４−ジクロロフェニル、２−クロロ−４−メチル−フェニル、２−メチル−４−クロロ−フェニル、２，４，６−トリメチル−フェニル、２−クロロ−４−メトキシ−フェニル、２−メチル−４−メトキシ−フェニル、または２，４−ジメトキシフェニルである、化合物。
【請求項９】  Ａｒがヘテロアリールまたは置換ヘテロアリールである、請求項１に記載の化合物。
【請求項１０】  ヘテロアリールがピリジニルである、請求項９に記載の化合物。
【請求項１１】  請求項９に記載の化合物であって、ここで置換ヘテロアリールが４−メチル−６−ジメチルアミノ−ピリジン−３−イル、４−ジメチルアミノ−６−メチル−ピリジン−３−イルまたは６−ジメチルアミノ−ピリジン−３−イルである、化合物。
【請求項１２】  Ｒが水素である、請求項１に記載の化合物。
【請求項１３】  Ｒがアルキルである、請求項１に記載の化合物。
【請求項１４】  Ｒがアリールアルキルである、請求項１に記載の化合物。
【請求項１５】  請求項１に記載の化合物であって、ここでＲ1が−ＣＨ（ｎ−プロピル）2、−ＣＨ（ｎ−プロピル）（ＣＨ2ＯＣＨ3）、−ＣＨ（フェニル）（ＣＨ2ＯＣＨ3）、−ＣＨ（ＣＨ2ＯＲ’）2、−ＣＨ（ＣＨ2ＯＲ’）（エチル）、−ＣＨ（ＣＨ2ＯＲ’）（ｎ−ブチル）、−ＣＨ（ＣＨ2ＯＲ’）（ｔｅｒｔ−ブチル）、−ＣＨ（ＣＨ2ＯＲ’）（４−クロロ−フェニル）、−ＣＨ（ＣＨ2ＯＲ）（ＣＨ2ＣＨ2ＳＣＨ3）、−ＣＨ（ＣＨ2ＣＨ3）（ＣＨ2Ｏフェニル）であり、ここで、各々の場合のＲ’は、独立してＣ1-6アルキルから選択される、化合物。
【請求項１６】  Ｒ1が−ＳＯ2Ｒ5である、請求項１に記載の化合物。
【請求項１７】  Ｒ1が−Ｃ（Ｈ）0,1−（Ｒ4）（Ｒ5）である、請求項１に記載の化合物。
【請求項１８】  Ｒ1が−ＣＨ2Ｒ5である、請求項１７に記載の化合物。
【請求項１９】  Ｒ1が−Ｃ（＝Ｏ）Ｒ5である、請求項１７に記載の化合物。
【請求項２０】  Ｒ1が−ＣＨ（Ｒ4）（Ｒ5）である、請求項１７に記載の化合物。
【請求項２１】  Ｒ4が水素である、請求項１に記載の化合物
【請求項２２】  Ｒ4がアルキルである、請求項１に記載の化合物。
【請求項２３】  Ｒ4がケトである、請求項１に記載の化合物。
【請求項２４】  Ｙがアルカンジイルまたは置換アルカンジイルである、請求項１に記載の化合物。
【請求項２５】  Ｙが直接結合である、請求項１に記載の化合物。
【請求項２６】  ＺがＮＨ、−Ｎ（Ｒ7）、Ｏ、Ｓ、ＳＯ2、Ｃ（＝Ｏ）、Ｃ（＝Ｏ）Ｏ、ＯＣ（＝Ｏ）、ＮＨＣ（＝Ｏ）、Ｃ（＝Ｏ）ＮＨ、ＮＨ（ＳＯ2）、（ＳＯ2）ＮＨ、またはＮＲ8Ｃ（＝Ｏ）Ｏである、請求項１に記載の化合物。
【請求項２７】  Ｚが直接結合である、請求項１に記載の化合物。
【請求項２８】  Ｒ6が水素、アルキルまたは置換アルキルである、請求項１に記載の化合物。
【請求項２９】  Ｒ6がアリール、置換アリール、アリールアルキル、または置換アリールアルキルである、請求項１に記載の化合物。
【請求項３０】  Ｒ6が複素環、置換複素環、複素環アルキル、または置換複素環アルキルである、請求項１に記載の化合物。
【請求項３１】  Ｒ2がメチルである、請求項１に記載の化合物。
【請求項３２】  Ｒ2がエチルである、請求項１に記載の化合物。
【請求項３３】  構造：
【化７】
2002529465.tif 000007
を有する、請求項１に記載の化合物。
【請求項３４】  Ａｒが２，４−ジクロロフェニル、２−クロロ−４−メチルフェニル、２−トリフルオロメチル−４−クロロフェニル、または２−メトキシ−４−トリフルオロメチルである、請求項３３に記載の化合物。
【請求項３５】  ｍが０である、請求項３３に記載の化合物。
【請求項３６】  Ｒ1がＣＨ（アルキル）（アルキル）である、請求項３３に記載の化合物。
【請求項３７】  Ｒ1がＣＨ（ｎ−プロピル）2である、請求項３６に記載の化合物。
【請求項３８】  Ｒ1がＣＨ（ｎ−ブチル）2である、請求項３６に記載の化合物。
【請求項３９】  ｍが１であり、そしてＲがアルキルである、請求項３３に記載の化合物。
【請求項４０】  Ｒがメチル、エチルまたはｎ−プロピルである、請求項３９に記載の化合物。
【請求項４１】  Ｒ1が−ＣＨ2（シクロアルキル）である、請求項４０に記載の化合物。
【請求項４２】  Ｒ1が−ＣＨ2（シクロプロピル）である、請求項４１に記載の化合物。
【請求項４３】  Ｒ1がＣＨ（アルキル）（アルキル）である、請求項４０に記載の化合物。
【請求項４４】  Ｒ1がＣＨ（ｎ−プロピル）2またはＣＨ（ｎ−ブチル）2である、請求項４３に記載の化合物。
【請求項４５】  請求項１に記載の化合物を薬学的に受容可能なキャリアまたは希釈剤と組み合わせて含む、組成物。
【請求項４６】  温血動物に、有効量の請求項４５に記載の組成物を投与することによって、該動物においてＣＲＦの分泌過多を示す障害を処置するための方法において使用するための、請求項４５に記載の薬学的組成物。
【請求項４７】  前記障害が発作である、請求項４６に記載の組成物。
【請求項４８】  前記障害がうつ病である、請求項４６に記載の組成物。
【請求項４９】  前記障害が不安である、請求項４６に記載の組成物。
【請求項５０】  温血動物に、有効量の請求項４５に記載の組成物を投与することによって、該動物において過敏性腸症候群を処置するための方法において使用するための、請求項４５に記載の薬学的組成物。
【請求項５１】  温血動物に、有効量の請求項４５に記載の組成物を投与することによって、該動物において炎症性腸疾患を処置するための方法において使用するための、請求項４５に記載の薬学的組成物。
【請求項５２】  前記化合物が、以下の構造：
【化８】
2002529465.tif 000008
のうちの１つを有する、請求項１に記載の化合物。